(57)【要約】【課題】暖色の模様又は地色が印刷された集積包装フィルムにおいて、読取手段による被包装物に付せられたバーコードの読取を防止するための遮蔽手段を備えさせる。【解決手段】各被包装物１に付せられたバーコードの位置が揃うように整列させた状態で被包装物を集積包装し、集積包装内の全被包装物のバーコードに対応する単一のバーコード７が付され、かつ、暖色の模様又は地色９が印刷された集積包装フィルムにおいて、読取手段による全被包装物のバーコードの読取を防止するための遮蔽手段として、複数本の寒色の線条１１を前記暖色の模様又は地色の印刷に付加し、当該複数本の線条における少なくとも１本の線条が各被包装物に付せられたバーコード上を覆うようになし、更に、前記各線条は各被包装物に付せられたバーコードを構成する線のうち最も太い線よりも太いことを特徴とする集積包装フィルム。【選択図】図１
0003207889.tif 000002
【実用新案登録請求の範囲】
【請求項１】
各被包装物に付せられたバーコードの位置が揃うように整列させた状態で被包装物を集積包装し、集積包装内の全被包装物のバーコードに対応する単一のバーコードが付され、かつ、暖色の模様又は地色が印刷された集積包装フィルムにおいて、
読取手段による全被包装物のバーコードの読取を防止するための遮蔽手段として、複数本の寒色の線条を前記暖色の模様又は地色の印刷に付加し、当該複数本の線条における少なくとも１本の線条が各被包装物に付せられたバーコード上を覆うようになし、
更に、前記各線条は各被包装物に付せられたバーコードを構成する線のうち最も太い線よりも太いことを特徴とする集積包装フィルム。
【考案の詳細な説明】
【技術分野】
【０００１】
本考案は、集積包装フィルムに関するものであり、更に詳しくは、集積状態で販売される缶詰等の被包装物をシュリンク包装するための集積包装フィルムに係るものである。
【背景技術】
【０００２】
集積包装される缶詰等の被包装物にはそれぞれバーコードが付されている。集積包装フィルムには集積包装内の全被包装物のバーコードに対応する単一のバーコードが付されている。販売時には店舗のレジ係はバーコードスキャナー等のバーコードの読取手段により集積包装フィルムに付された単一のバーコードのみを読み取らせる。すなわち、集積包装内の各被包装物のバーコードが読取手段により読み取られることのないようにするために、集積包装フィルムにはバーコードの読取を妨げる遮蔽手段が施されている。
【０００３】
集積包装フィルムには、被包装物の種類等により、ピンク、黄色等の暖色により水玉、ハート型等の模様又は地色を印刷することが意匠面で求められる場合がある。
【考案の概要】
【考案が解決しようとする課題】
【０００４】
しかるに、集積包装フィルムに暖色の模様又は地色を印刷した場合には、バーコードの読取手段は、集積包装フィルムに付せられた全被包装物のバーコードに対応する単一のバーコードではなく、集積包装内の一つの被包装物に付せられたバーコードを読み取ってしまうおそれがある。すなわち、集積包装フィルムに暖色のインキを付しても、該暖色のインキは集積包装フィルム内のバーコードが読取手段により読み取られることを防止し得ないのである。
このような場合には、店舗のレジ係は集積包装フィルム内の全被包装物を当該一つの被包装物の値段で売ってしまうことになる。
【０００５】
このような状況に鑑み、本考案は、暖色の模様又は地色が印刷された集積包装フィルムにおいて、読取手段による被包装物に付せられたバーコードの読取を防止するための遮蔽手段を備えた集積包装フィルムを提供しようとしてなされたものである。  
【課題を解決するための手段】
【０００６】
上記課題を解決するために、本考案は、下記の集積包装フィルムを提供するものである。
各被包装物に付せられたバーコードの位置が揃うように整列させた状態で被包装物を集積包装し、集積包装内の全被包装物のバーコードに対応する単一のバーコードが付され、かつ、暖色の模様又は地色が印刷された集積包装フィルムにおいて、
読取手段による全被包装物のバーコードの読取を防止するための遮蔽手段として、複数本の寒色の線条を前記暖色の模様又は地色の印刷に付加し、当該複数本の線条における少なくとも１本の線条が各被包装物に付せられたバーコード上を覆うようになし、
更に、前記各線条は各被包装物に付せられたバーコードを構成する線のうち最も太い線よりも太いことを特徴とする集積包装フィルム。
【考案の効果】
【０００７】
前述の如く、集積包装フィルムに暖色の模様又は地色の印刷を付しても、該暖色の印刷は集積包装フィルム内のバーコードが読取手段により読み取られることを防止し得ないのであるが、本考案においては、読取手段によるバーコードの読取を防止するための遮蔽手段として、複数本の寒色の線条を前記暖色の模様又は地色の印刷に付加し、当該複数本の線条における少なくとも１本の線条が各被包装物に付せられたバーコード上を覆うようにしているため、集積包装フィルム内のバーコードが読取手段により読み取られることが防止される。しかも、前記各線条は各被包装物に付せられたバーコードを構成する線のうち最も太い線よりも太いため、集積包装フィルム内のバーコードが読取手段により読み取られることは確実に防止される。
【図面の簡単な説明】
【０００８】
【図１】図１は、本考案による集積包装フィルムの使用状態の一例を示す斜視図である。
【図２】図２は、同上集積包装フィルムの一例を示す正面図である。
【図３】図３は、被包装物に付せられているバーコードを示す正面図である。
【図４】図４は、各被包装物に付せられたバーコードの位置が揃うように整列させた状態の被包装物を示す斜視図である。
【考案を実施するための形態】
【０００９】
缶詰等の各被包装物１にはそれぞれバーコード３が付せられている。被包装物１は、各被包装物１に付せられたバーコード３の位置が揃うように整列させた状態で集積包装される。集積包装フィルム５には、集積包装内の全被包装物１のバーコード３に対応する単一のバーコード７が付され、当該単一のバーコード７を読取手段により読み取ることにより、集積包装内の全被包装物１のバーコード３をすべて読み込んだときと同じ結果が得られる。集積包装フィルム５には暖色の模様又は地色９が印刷されている。暖色は、例えばピンク、黄色等である。模様は、例えば水玉、ハート等である。
【００１０】
しかして、本考案にいては、読取手段によるバーコードの読取を防止するための遮蔽手段として、集積包装フィルム５における前記暖色の模様又は地色９の印刷に複数本の寒色の線条１１を付加する。寒色としては、例えば、青、紫、緑等を使用する。図１、図２に示す事例においては、集積包装フィルム５には暖色の模様９としてピンクの水玉模様が印刷されている。図１、図２に示す事例においては、３本の線条１１を形成されている。線条１１の本数は特に限定されないが、好ましくは２本ないし３本とする。                                                
【００１１】
当該複数本の線条１１における少なくとも１本の線条１１が各被包装物１に付せられたバーコード３上を覆うようになす。
【００１２】
更に、前記各線条１１は各被包装物１に付せられたバーコード３を構成する多数本の線３ａ、３ａ・・・のうち最も太い線３ａ’よりも太いものとする。すなわち、各線条１１の幅１１Ａ（図２）は、各被包装物１に付せられたバーコード３を構成する多数本の線３ａ、３ａ・・・のうち最も太い線３ａ’の幅３Ａ（図３）よりも大きい。
【００１３】
図１、図２に示す事例においては、複数本の線条１１は、各被包装物１に付せられたバーコード３を構成する各線３ａと平行な直線状に形成されているが、複数本の線条１１は、各被包装物１に付せられたバーコード３を構成する各線３ａに対し傾斜した状態で形成してもよく、更には、波状に形成しても差し支えない。
【符号の説明】
【００１４】
１  各被包装物
３  バーコード
３ａ  線
３ａ’  最も太い線
３Ａ  幅
５  集積包装フィルム
７  単一のバーコード
９  暖色の模様又は地色
１１  寒色の線条
１１Ａ  幅
【図１】
0003207889.tif 000003
【図２】
0003207889.tif 000004
【図３】
0003207889.tif 000005
【図４】
0003207889.tif 000006